(57)【要約】      （修正有）【課題】特に建屋等に利用される土台、柱、壁板パネル、梁等の建築部材の接合構造において、部材と部材を接合固定する場合のボルト締めの際に、ホゾ部に設けられているボルト孔にボルトを一本一本螺入することなく既に接合固定部材に螺入されているボルトを増し締めするだけで接合固定可能な建築部材の接合構造を提供する。【解決手段】接合する一方の部材の端部にボルト２１を通するための１つまたは複数の切り欠き溝１１ａを有するホゾ部１１を設け、他方の部材の接合箇所に前記ホゾ部を挿入可能にした隙間を有する断面コ字状の接合固定部材１３を設け、この接合固定部材の隙間に前記一方の部材のホゾ部を挿入し、このホゾ部を挟んで対向する接合固定部材の側板間に、ホゾ部の切り欠き溝内を貫通させてボルトを渡してねじ込みすることにより、前記ホゾ部を前記側板対により締め付け固定する【選択図】図１ａ
2006104774.tif 000002
【特許請求の範囲】
【請求項１】
柱、壁板パネル、梁等の建築部材を相互に接合するものにおいて、接合する一方の部材の端部に、ボルトを通すための１つまたは複数の切り欠き溝を有するホゾ部を設け、他方の部材の接合箇所に、前記ホゾ部を挿入する隙間を有する断面コ字状の接合固定部材を設け、この接合固定部材の隙間に前記一方の部材のホゾ部を挿入し、このホゾ部を挟んで対向する接合固定部材の側板対間に、ホゾ部の切り欠き溝内を貫通させてボルトを渡してねじ込むことにより、前記ホゾ部を前記側板対により締め付け固定することを特徴とする建築部材の接合構造。
【請求項２】
前記他方の部材の接合固定部材に予め接合ボルトを仮締めしておき、この接合ボルトのねじ込まれた接合固定部材の隙間に、前記一方の部材のホゾ部を挿入し、前記結合ボルトを完全に締付けることを特徴とする請求項１記載の建築部材の接合構造。
【請求項３】
前記接合固定部材の側板対の一方の板厚を薄くしたことを特徴とする請求項１または２に記載の建築部材の接合構造。
【発明の詳細な説明】
【技術分野】
【０００１】
本発明は、建屋等に使用される土台、柱、壁板パネル、梁等の建築部材の接合構造に関するものである。
【背景技術】
【０００２】
従来の建屋等に使用される土台、柱、梁等の建築部材の接合構造は、図５ａの立体斜視図および図５ｂの接合断面図に示すように、土台１の端部に設けられるボルト孔２２を施したホゾ部１１を、柱２の内側面の所定の箇所に固着して設けられる座金板（ナット）１５に接合し、土台１のホゾ部１１に施したボルト孔２２にボルト２１のボルト軸２１ａを螺入して、土台１と柱２を固定する構造がとられていた。
【０００３】
しかしながら、このような従来構造は、図５ａおよび図５ｂに示すように、土台１と柱２の全ての接合箇所に、ボルト２１と座金板（ナット）１５のセットを必要とするため、それら部材に適合するボルト２１と座金板（ナット）１５のセットを数多く揃える必要がある。
【０００４】
またホゾ部１１が大きい場合には、これら土台１と柱２を確実に接合固定するために、ホゾ部１１には複数のボルト孔２２を成形し、土台１と柱２を接合するごとに複数本のボルト２１をボルト孔２２に通してボルト２１を螺着する必要があるため、施工時においてこれら作業には思いの外手間と時間が掛かる。
【０００５】
これらの問題を改善する手段として、特許文献１の発明では、固定部材と押さえ部材および仕切り用のパネルから構成され、固定部材は設置面に固定するための底部と、該底部の端部より形成された立壁状の支持部とからなり、押さえ部材が組立ボルトを介して一体的に組み合わされ、支持部と押さえ部材との間にパネルが挟着する構造を採用している。
【０００６】
しかしながら、支持部と押さえ部材との間にパネルを挟着しただけでは、ボルトの損傷や除緩等が生じた場合には、支持部と押さえ部材による挟着力が緩み、パネルは横ずれや縦ずれを起こすことが考えられる。
【特許文献１】特開平１１−３０３２６２号公報
【発明の開示】
【発明が解決しようとする課題】
【０００７】
かかる従来構造の欠点を解消するために、本発明は、特に建屋等に利用される土台、柱、壁板パネル、梁等の建築部材の接合構造おいて、部材毎に適合したボルトと座金板（ナット）のセットを一々揃えることなく、また建築部材を接合固定する際にも、柱の所定の場所に設けられている接合固定部材に、土台の端部に設けられているホゾ部を挿入し、予め接合固定部材に仮締めされているボルトを完全に締付けるだけで足り、従来のようなホゾ部に設けられているボルト孔と、座金板（ナット）に設けられているボルト孔にボルトを一本一本螺入する必要のない建築部材の接合構造を提供することを課題とするものである。
【課題を解決するための手段】
【０００８】
このような課題を解決するため、請求項１の発明は、柱、壁板パネル、梁等の建築部材を相互に接合するものにおいて、接合する一方の部材の端部に、ボルトを通すための１つまたは複数の切り欠き溝を有するホゾ部を設け、他方の部材の接合箇所に、前記ホゾ部を挿入する隙間を有する断面コ字状の接合固定部材を設け、この接合固定部材の隙間に前記一方の部材のホゾ部を挿入し、このホゾ部を挟んで対向する接合固定部材の側板対間に、ホゾ部の切り欠き溝内を貫通させてボルトを渡してねじ込むことにより、前記ホゾ部を前記側板対により締め付け固定することを特徴とする。
【０００９】
請求項２の発明は、前記他方の部材の接合固定部材に予め接合ボルトを仮締めしておき、この接合ボルトのねじ込まれた接合固定部材の隙間に、前記一方の部材のホゾ部を挿入し、前記結合ボルトを完全に締付けることを特徴とする。
【００１０】
請求項３の発明は、前記接合固定部材の側板対の一方の板厚を薄くしたことを特徴とする。
【発明の効果】
【００１１】
本発明の建物部材の接合構造よれば、柱に土台、壁板パネル、梁等の建築部材を接合固定するときに、予め接合固定部材を構成している対向する側板に挿通したボルトを完全に締付けるだけで建築部材を確実に固定することが可能なため、従来のようにホゾ部と座金板（ナット）のボルト孔にボルトを一本一本螺入する必要もなく、手際よく土台、壁板パネル、梁等の建築部材を的確に柱に接合固定し建屋を組立てることが可能となる。
【００１２】
更に土台、壁板パネル、梁の端部または両端部に設けられている前記ホゾ部には、ボルトを通すための１つ又は複数の切り欠き溝を有しているので、前記ホゾ部を持つ土台、壁板パネル、梁を、柱に設けられる接合固定部材に挿入したときには、ホゾ部に施した切り欠きが、前記接合固定部材を構成している対向する側板に挿通した増し締め自在のボルトの軸部に嵌合するため、これら土台、壁板パネル、梁と柱は接合ずれを起こすことの少ない効果を得ることができる。
【発明を実施するための最良の形態】
【００１３】
以下に、図面を参照して本発明の建築部材の接合構造の実施例を説明する。
【実施例１】
【００１４】
図１ａ、図１ｂおよび図１ｃは、土台１と柱２の接合構造を示した第１の実施例である。
【００１５】
図１ａでは、土台１を柱２に嵌合する様子を立体斜視図によって示したものである。
【００１６】
図１ｂ（Ａ）（Ｂ）は、図１ａのＡ−Ａ断面図である。
【００１７】
図１ｃ（Ａ）（Ｂ）は、図１ａのＢ−Ｂ断面図である。
【００１８】
図１ｂの（Ａ）および（Ｂ）に示すように、土台１の端部には、ホゾ部１１を設け、ホゾ部１１には、ボルト２１を通すための横Ｕ字状の２つの切り欠き溝１１ａをホゾ部１１の先端に有し、前記ホゾ部１１を受け入れるための断面コ字所の接合固定部材１３を柱２の内側面の下部に固着する。
【００１９】
図１ｃの（Ａ）および（Ｂ）に示すように、接合固定部材１３は、対向する側板（１３ａ、１３ｂ）が連結板１３ｃによって連結されている。また接合固定部材の側板１３aの面からは、側板１３ｂへ貫通するそれぞれ２つのボルト孔が並列に設けられている。側板１３a側のボルト孔には、螺子溝の切られていない貫通孔であるが、側板１３b側のボルト孔は、螺子溝の切られた螺子孔となっている。
【００２０】
このようなボルト孔を設けることにより、ホゾ部１１に施した２箇所の切り欠き溝１１ａを、接合固定部材１３の対向する側板（１３ａ、１３ｂ）の間に挿通しているボルト２１のボルト軸２１ａに嵌合することが可能となる。
【００２１】
ボルト２１は、予め接合固定部材１３を構成する対向する一方の側板１３ａのボルト孔を貫通して、他方の側板１３ｂのボルト孔に増し締め可能な位置までねじ込まれ仮締めされている。また、側板１３ａは板厚が、側板１３ｂの厚さより薄くされ、撓みやすくされている。これはボルトを完全に締付けることにより側板１３ａは、連結板１３cを支点として側板１３ｂの方向へ弾性変形しホゾ部１１の挟着固定力を増大するためである。
【００２２】
土台１の端部に設けられているホゾ部１１を、予めボルト２１がねじ込まれ仮締めされている接合固定部材１３の挟着部１３ｄへ挿入するように水平移動させ、もって切り欠き溝１１ａと接合固定部材１３を構成する対向する側板（１３ａ、１３ｂ）間に挿通したボルト２１のボルト軸２１ａとを嵌合させ、その後、ボルト２１を完全に締付けることにより、側板（１３ａ、１３ｂ）内の挟着部１３dで挟着し、土台１と、柱２と接合をする。
【００２３】
なお、実施例１では、土台１と柱２の接合構造について述べたが、このような接合構造は、壁板と柱２というように他の建築部材の接合についても適用可能である。また、本実施例では、ホゾ部１１に有している横Ｕ字状の切り欠き溝１１ａは２つであるが、建屋の規模や建築部材の接合場所によっては、切り欠き溝１１ａの数は２つに限定されない。さらに、接合固定部材１３は略コ字状の一体成形部材であってもよい。
【実施例２】
【００２４】
図２ａ、図２ｂおよび図２ｃは、梁５と柱２ａの接合構造を示した第２の実施例である。
【００２５】
図２ａでは、梁５を柱２ａに嵌合する様子を立体斜視図によって示したものである。
【００２６】
図２ｂ（Ａ）（Ｂ）は、図２ａの立体斜視図内にて表したＡ−Ａ断面図である。
【００２７】
図２ｃ（Ａ）（Ｂ）は、図２ａの立体斜視図内にて表したＢ−Ｂ断面図である。
【００２８】
図２ｂの（Ａ）および（Ｂ）に示すように、梁５の端部には、ホゾ部１２を設け、ホゾ部１２には、ボルト２１を通すための逆Ｕ字状の切り欠き溝１２ａをホゾ部１２の下端に有し、前記ホゾ部１２を受け入れるための断面コ字状の接合固定部材１４を柱２aの内側面の上部に固着する。
【００２９】
図２ｃの（Ａ）および（Ｂ）に示すように、接合固定部材１４は、対向する側板（１４ａ、１４ｂ）が連結板１４ｃによって連結されている。また接合固定部材の側板１４aの面からは、側板１４ｂにはそれぞれを貫通してボルト孔が２つ設けられている。側板１４a側のボルト孔には、螺子溝の切られていない貫通孔であるが、側板１４b側のボルト孔は、螺子溝の切られた螺子孔となっている。
【００３０】
このようなボルト孔を設けることにより、ホゾ部１２に有した切り欠き溝１２ａを、接合固定部材１４の対向する一方の側板１４ａのボルト孔から他方側板１４ｂのボルト孔へ挿通したボルト２１のボルト軸２１ａに嵌合することが可能となる。
【００３１】
ボルト２１は、予め接合固定部材１３を構成する対向する一方の側板１４ａのボルト孔を貫通して、他方の側板１４ｂのボルト孔に、ねじ込まれ仮締めされている。また、側板１４ａは板厚が、側板１４ｂの厚さより薄くされ、撓みやすくされている。これはボルト２１を完全に締付けることにより側板１４ａは、連結板１４cを支点として側板１４ｂの方向へ弾性変形しホゾ部１２の挟着固定力を増大するためである。
【００３２】
梁５の端部に設けられているホゾ部１２を、予めボルト２１がねじ込まれ仮締めされている接合固定部材１４の挟着部１４ｄへ挿入するように垂直方向へ下降させ、もって切り欠き溝１２ａと接合固定部材１３を構成する対向する側板（１４ａ、１４ｂ）間に挿通したボルト２１のボルト軸２１ａとを嵌合させ、その後、ボルト２１を完全に締付けることにより、側板（１４ａ、１４ｂ）内の挟着部１４dで挟着し、梁５と、柱２ａとを接合する。
【００３３】
なお、実施例２では、針５と柱２ａの接合構造について述べたが、このような接合構造は、壁板と柱２ａというように他の建築部材の接合についても適用可能である。また、本実施例では、ホゾ部１２に有している横Ｕ字状の切り欠き溝１２ａは１つであるが、建屋の規模や建築部材の接合場所によっては、切り欠き溝１２ａを複数設けることも可能である。さらに、接合固定部材１４は略コ字状の一体成形部材であってもよい。
【実施例３】
【００３４】
図３は、中空構造をもつ柱３に、本発明の接合構造を適用した第３の実施例である。
【００３５】
図３（Ｂ）に示す断面Ｌ字状の中空の柱３は、図３（Ａ）に示すように、柱構成部材（３ａ、３ｂ）から構成されている。この柱３の下部には、土台１の端部に設けられているホゾ部１１が挿入可能なようにホゾ部１１の断面積よりやや大きめのホゾ部挿入孔６が成形されている。また前記挿入孔６と同位置にある柱３ａの内側面には、土台１の端部に設けられているホゾ部１１を挟着可能な接合固定部材１３が固着されている。なお、接合固定部材１３の構成は実施例１と同様である。
【００３６】
土台１の端部に設けられているホゾ部１１を、予めボルト２１のねじ込まれ仮締めされている接合固定部材１３の挟着部１３ｄへ挿入するように水平移動させ、もって切り欠き溝１１ａと接合固定部材１３を構成する対向する側板（１３ａ、１３ｂ）間に挿通したボルト２１のボルト軸２１ａとを嵌合させ、その後、ボルト２１を完全に締付けることにより、側板（１３ａ、１３ｂ）内の挟着部１３dで挟着し、土台１と、柱２と接合をする（図１ｃ参照）。ホゾ部１１と接合固定部材１３を接合した後は、図３（Ｂ）に示すように柱３ｂと柱３ａを接着固定させ中空Ｌ字状の柱３が完成する。
【実施例４】
【００３７】
図４は、中空構造をもつ柱に、本発明の接合構造を適用した第４の実施例である。
【００３８】
図４（Ｂ）に示す断面Ｌ字状の中空の柱４は、図４（Ａ）に示すように、柱構成部材（４ａ、４ｂ）から構成されている。この柱４の下部には、梁５の端部に設けられているホゾ部１２が挿入可能なようにホゾ部１２の断面積よりやや大きめのホゾ部挿入孔７が成形されている。また前記挿入孔７と同位置にある柱４ａの内側面には、梁５の端部に設けられているホゾ部１２を挟着可能な接合固定部材１４が固着されている。なお、接合固定部材１４の構成は実施例２と同様である。
【００３９】
梁５の端部に設けられているホゾ部１２を、予めボルト２１のねじ込まれ仮締めされている接合固定部材１４の挟着部１４ｄへ挿入するように垂直方向へ下降させ、もって切り欠き溝１２ａと接合固定部材１３を構成する対向する側板（１４ａ、１４ｂ）間に挿通したボルト２１のボルト軸２１ａとを嵌合させ、その後、ボルト２１を完全に締付けることにより、側板（１４ａ、１４ｂ）内の挟着部１４dで挟着し、梁５と、柱２ａとを接合する（図２ｃ参照）。ホゾ部１２と接合固定部材１４を接合した後は、図４（Ｂ）に示すように柱４ｂと柱４ａを接着固定させ中空Ｌ字状の柱４が完成する。
【産業上の利用可能性】
【００４０】
本実施例では主に、土台と柱、梁と柱の接合構造について説明してきたが、本発明の接合構造はこれら建築部材に限定されることはなく、例えば柱と壁板など様々な建築部材の接合に適用する事ができる。
【図面の簡単な説明】
【００４１】
【図１ａ】本発明の第１の実施例を示す立体斜視図。
【図１ｂ】図１ａのＡ−Ａ断面図である。
【図１ｃ】図１ａのＢ−Ｂ断面図である。
【図２ａ】本発明の第２の実施例を示す平立体斜視図。
【図２ｂ】図２ａのＡ−Ａ断面図である。
【図２ｃ】図２ａのＢ−Ｂ断面図である。
【図３】本発明の第３の実施例を示す立体斜視図。
【図４】本発明の第４の実施例を示す立体斜視図。
【図５ａ】従来の土台と柱の接合構造
【図５ｂ】従来の土台と柱の接合構造
【符号の説明】
【００４２】
１      土台
２      柱
２ａ    柱
３      中空構造の柱
３ａ    柱構成部材
３ｂ    柱構成部材
４      中空構造の柱
４ａ    柱構成部材
４ｂ    柱構成部材
５      梁
６      挿入口
７      挿入口
１１    ホゾ部
１１ａ  切り欠き溝
１２    ホゾ部
１２ａ  切り欠き溝
１３    接合固定部材
１３ａ  側板
１３ｂ  側板
１３ｃ  連結板
１３ｄ  挟着部
１４    接合固定部材
１４ａ  側板
１４ｂ  側板
１４ｃ  連結板
１４ｄ  挟着部
１５    座金板（ナット）
２１    ボルト
２１ａ  ボルト軸
２２    ボルト孔
【図１ａ】
2006104774.tif 000003
【図１ｂ】
2006104774.tif 000004
【図１ｃ】
2006104774.tif 000005
【図２ａ】
2006104774.tif 000006
【図２ｂ】
2006104774.tif 000007
【図２ｃ】
2006104774.tif 000008
【図３】
2006104774.tif 000009
【図４】
2006104774.tif 000010
【図５ａ】
2006104774.tif 000011
【図５ｂ】
2006104774.tif 000012